(57)【特許請求の範囲】
【請求項１】
椅子フレームと、該椅子フレームに対して起倒可能に備えた背フレームと、該背フレームに対して前後方向に回転可能に連結した座フレームを有し、前記背フレームが倒れるほど前記座フレームが前方に移動し、前記背フレームが起きるほど前記座フレームが後方に移動する椅子において、
前記背フレームが、一対の側枠を有し、該側枠に沿って移動可能なスライドフレームを設け、該スライドフレームに背クッション材を設け、前記座フレームに座クッション材を設け、
前記スライドフレームは、前記背フレームが倒れるほど、前記側枠に沿って該背フレームに対して座方向に移動し、前記背フレームが起きるほど、前記側枠に沿って該背フレームに対して前記座と反対側方向に移動し、
前記背クッション材と座クッション材間の隙間が、前記背フレームが倒れるほど小さく、前記背フレームが起きるほど大きくなり、
１又は複数の部材で構成されたリンクを備え、該リンクの一端が前記スライドフレームの下部に前後に回動可能に連結され、前記リンクの他端が、前記椅子フレームに対し前後に回動可能に連結され、
前記リンクにより前記スライドフレームを、背フレームに対して移動するようにしたことを特徴とする椅子。
【請求項２】
背フレームを倒伏した際に、前記リンクの他端が、前記座フレームと背フレームの回動連結部より上方で、かつ、後方に位置することを特徴とする請求項１記載の椅子。
【請求項３】
前記背フレームを、椅子フレームの後部に設けた支軸により椅子の前後方向に回転可能に設けたことを特徴とする請求項１又は２記載の椅子。
【発明の詳細な説明】
【技術分野】
【０００１】
本発明は椅子に関するものである。
【背景技術】
【０００２】
従来、図１８〜２０に示すように、椅子の後部に固定した支軸１０１により椅子の前後方向に回転可能に背フレーム１０２を備え、該背フレーム１０２の下端と座フレーム１０３の後端とを、回転軸１０８により前後方向に回転可能に連結し、前記背フレーム１０２に背クッション材と表皮材等を取り付けて背もたれ１０４とし、前記座フレーム１０３に座クッション材と表皮材等を取り付けて座１０５とし、前記背もたれ１０４を、前記支軸１０１を中心として起倒可能に備えた椅子１１０が知られている（例えば、特許文献１、２参照）。
【先行技術文献】
【特許文献】
【０００３】
【特許文献１】特許第３６１８４４３号
【特許文献２】特許第３９１４０２０号
【発明の概要】
【発明が解決しようとする課題】
【０００４】
前記従来の椅子１１０は、図１８に示すように、背もたれ１０４を起立した状態においては、その座１０５の上面後部１１１と背もたれ１０４の前面下部１１２とは接点Ｇで接している。
【０００５】
しかし、座フレーム１０３の上部に座クッション材が設けられて座１０５が形成され、背フレーム１０２の前面に背クッション材が設けられて背もたれ１０４が形成されていることから、前記接点Ｇは、座フレーム１０３と背フレーム１０２との回転軸１０８の中心よりもかなり前方上部に位置する。
【０００６】
そのため、図１８の背もたれ１０４が起立した状態から、図１９，２０に示すように、背もたれ１０４を徐々に後方へ倒していくと、座１０５の上面後部１１１と、背もたれ１０４の前面下部１１２とが徐々に離れ、その隙間は徐々に大きくなっていく。
【０００７】
これにより、着座者１２１が、背もたれ１０４を起立した状態の椅子１１０に着座し、背もたれ１０４にもたれた状態で、背もたれ１０４を倒伏すると、座１０５の上面後部１１１と背もたれ１０４の前面下部１１２とが徐々に離れる。これにより、背もたれ１０４が起立していた状態では、図２０の点線で示す位置に位置していた着座者１２１の頭部が、背もたれ１０４を倒伏した状態では、図２０の鎖線で示す位置に移動する。このように、背もたれ１０４を倒した際に、着座者１２１の上半身が、背もたれ１０４に対して下方に移動することにより、着座者１２１の上着が上方に引き上げられるという問題点がある。
【０００８】
また、背もたれ１０４の起倒の際に、着座者１２１の着衣と背もたれ１０４の表皮とがこすれたりすることで、背もたれ１０４の表皮が痛む虞がある。
【０００９】
そこで、本発明は、前記問題点を解消した椅子を提供することを目的とするものである。
【課題を解決するための手段】
【００１０】
前記課題を解決するために、請求項１記載の発明は、椅子フレームと、該椅子フレームに対して起倒可能に備えた背フレームと、該背フレームに対して前後方向に回転可能に連結した座フレームを有し、前記背フレームが倒れるほど前記座フレームが前方に移動し、前記背フレームが起きるほど前記座フレームが後方に移動する椅子において、
前記背フレームが、一対の側枠を有し、該側枠に沿って移動可能なスライドフレームを設け、該スライドフレームに背クッション材を設け、前記座フレームに座クッション材を設け、
前記スライドフレームは、前記背フレームが倒れるほど、前記側枠に沿って該背フレームに対して座方向に移動し、前記背フレームが起きるほど、前記側枠に沿って該背フレームに対して前記座と反対側方向に移動し、
前記背クッション材と座クッション材間の隙間が、前記背フレームが倒れるほど小さく、前記背フレームが起きるほど大きくなり、
１又は複数の部材で構成されたリンクを備え、該リンクの一端が前記スライドフレームの下部に前後に回動可能に連結され、前記リンクの他端が、前記椅子フレームに対し前後に回動可能に連結され、
前記リンクにより前記スライドフレームを、背フレームに対して移動するようにしたことを特徴とするものである。
【００１１】
請求項２記載の発明は、請求項１記載の発明において、背フレームを倒伏した際に、前記リンクの他端が、前記座フレームと背フレームの回動連結部より上方で、かつ、後方に位置することを特徴とするものである。
請求項３記載の発明は、請求項１又は２記載の発明において、前記背フレームを、椅子フレームの後部に設けた支軸により椅子の前後方向に回転可能に設けたことを特徴とするものである。
【発明の効果】
【００１３】
本発明は、背フレームが倒れるほど座フレームが前方に移動し、背フレームが起きるほど座フレームが後方に移動するようにし、また、背フレームの側枠に沿って移動可能なスライドフレームを設け、該スライドフレームに背クッション材を設け、座フレームに座クッション材を設け、前記スライドフレームは、前記背フレームが倒れるほど、該背フレームに対して座方向に移動し、前記背フレームが起きるほど、該背フレームに対して前記座と反対側方向に移動させることで、前記従来技術の椅子１１０においては、背もたれ１０４を倒すほど座１０５の上面後部１１１と、背もたれ１０４の前面下部１１２とが、離間するのとは逆に、前記背クッション材と座クッション材間の隙間が、前記背フレームが倒れるほど小さく、前記背フレームが起きるほど大きくなるようにした。
【００１４】
これにより、使用者が、本発明の椅子の背もたれにもたれた状態で、背もたれを起倒しても、背もたれにより着衣が移動することを防止でき、着衣を直したり、座り直したりする必要がなく、快適に椅子を使用することができる。
【図面の簡単な説明】
【００１５】
【図１】本発明の実施例１における椅子の背もたれを起立した状態を示す斜視図で、説明上、フレーム部分を示し、クッション材や表皮材は省略している。
【図２】図１の右側面図。
【図３】図１の正面図。
【図４】図１の上面図。
【図５】図４のＥ−Ｅ線側断面図。
【図６】図５の状態から背フレームを倒伏した状態の側断面図。
【図７】図６の状態から、更に背フレームを倒した状態の側断面図。
【図８】図５のＦ−Ｆ線断面図。
【図９】本発明の実施例１において、椅子の背クッション材と座クッション材の関係を示すもので、図５の状態のＥ−Ｅ線側断面図。
【図１０】図９の状態から背もたれを倒した状態のＥ−Ｅ線側断面図、なお、ヘッドレストは図９の状態に固定して示す。
【図１１】図１０の状態から、更に背もたれを倒した状態のＥ−Ｅ線側断面図、なお、ヘッドレストは図９の状態に固定して示す。
【図１２】本発明の実施例２における椅子の背もたれを起立した状態を示す側面図で、説明上、フレーム部分を示し、クッション材や表皮材は省略している。
【図１３】図１２の状態から背もたれを倒した状態の側面図。
【図１４】図１３の状態から、更に背もたれを倒した状態の側面図。
【図１５】本発明の実施例３における椅子の背もたれを起立した状態を示す側面図で、説明上、フレーム部分を示し、クッション材や表皮材は省略している。
【図１６】図１５の状態から背もたれを倒した状態の側面図。
【図１７】図１６の状態から、更に背もたれを倒した状態の側面図。
【図１８】従来技術における椅子の背もたれと座の関係を示す側面図。
【図１９】図１８の状態から背もたれを倒した状態の側面図。
【図２０】図１９の状態から、更に背もたれを倒した状態の側面図。
【発明を実施するための形態】
【００１６】
本発明を実施するための形態を図１乃至図１７に示す実施例に基づいて説明する。
【実施例１】
【００１７】
図１乃至図１１は、実施例１を示す。
本発明の実施例１の椅子１は、図１〜４に示すように、台座２を有する。該台座２上には、その上下方向（垂直方向）を回転軸として、該台座２に対して回転可能に回転台３が備えられている。該回転台３には椅子フレーム４が固設されている。以下において、椅子１の着席側、すなわち、背もたれ２８と反対側を前Ａとし、背もたれ２８側を後Ｂとし、図３の左側を左Ｃ、右側を右Ｄとして説明する。
【００１８】
前記椅子フレーム４は、図１〜４に示すように、両側枠４ａ，４ｂと、該両側枠４ａ，４ｂの下端間に架設した下枠４ｃを有し、両側枠４ａ，４ｂと下枠４ｃは一体に形成されている。前記下枠４ｃの下部中央には、前記回転台３が固設され、該回転台３は、図２に示すように、前方Ａから後方Ｂに向うほど、下方に傾斜するように形成されている。該回転台３の後部には、上下方向（垂直方向）に立設する円筒状の基部３ａが設けられている。該基部３ａは、前記台座２に対して回転可能に連結されている。
【００１９】
両側枠４ａ，４ｂの上端部には、肘部を構成する部材、本実施例においては板状の肘フレーム５，５が、椅子１の前後（Ａ−Ｂ）方向に固設されている。
【００２０】
前記両側枠４ａ，４ｂの上部後方には、図５〜７に示すように、その内面から内側方向に水平（Ｃ−Ｄ方向）に突出する支軸７，７が固設されている。該支軸７には、この支軸７を中心軸として、背フレーム８が前後に回転可能に備えられている。
【００２１】
この背フレーム８は、図１，３に示すように、左右に一対の側枠（以下、背の側枠という）８ａ，８ｂを有し、本実施例１においては、該背の側枠８ａ，８ｂを円筒で中空状の金属製のパイプで構成した。該両背の側枠８ａ，８ｂは、その軸方向が、椅子１の左右（Ｃ−Ｄ）方向に対して直交するように設けられている。また、前記各背の側枠８ａ，８ｂの軸方向中間部には、前記支軸７，７が挿通され、該支軸７，７を中心として、背の側枠８ａ，８ｂが、前後に回転可能に備えられている。前記両背の側枠８ａ，８ｂの上部間には、連結棒８ｃが架設されている。
【００２２】
前記両背の側枠８ａ，８ｂの下端部には、図１に示すように、座フレーム１０が前後（Ａ−Ｂ）方向に回転可能に連結されている。該座フレーム１０は、左右に一対の側枠（以下、座の側枠という）１０ａ，１０ｂを有し、本実施例１においては、該座の側枠１０ａ，１０ｂを円筒で中空状の金属製のパイプで構成した。この座の側枠１０ａ，１０ｂは、その軸方向が椅子１の前後（Ａ−Ｂ）方向に位置するように設けられている。前記両座の側枠１０ａ，１０ｂの前端部間には座前枠１０ｃが架設され、両座の側枠１０ａ，１０ｂの後端部間には座後枠１０ｄが架設されている。該座後枠１０ｄの両側部には、図１に示すように、座後枠１０ｄから後Ｂ方向に突出する連結片１０ｅ，１０ｅが設けられ、該夫々の連結片１０ｅ，１０ｅには、前記両背の側枠８ａ，８ｂの下端部が、左右（Ｃ−Ｄ）方向に水平に設けた連結軸１０ｆを中心に、前後に回転可能に連結されている。
【００２３】
前記椅子フレーム４の両側枠４ａ，４ｂの内面には、図１、５〜７に示すように、座案内部材１１，１１が設けられ、該座案内部材１１は、図５〜７に示すように、前Ａ方から後Ｂ方に向うほど緩やかに下降する湾曲状に形成されている。該座案内部材１１，１１には、該座案内部材１１，１１に沿って移動可能な案内受け部材１２，１２が備えられている。該案内受け部材１２，１２の内側には、前記両座の側枠１０ａ，１０ｂの軸方向中間部が、左右（Ｃ−Ｄ）方向に水平に設けた座軸１２ａで連結され、該座軸１２ａを中心として、座の側枠１０ａ，１０ｂが、前後に回転可能に備えられている。これにより、座フレーム１０は、座軸１２ａを中心に回転可能で、かつ、案内部材１１に沿って前後に移動することができるようになっている。
【００２４】
前記両背の側枠８ａ，８ｂの上端部には、夫々ヘッド案内部材１４，１４が設けられている。該各ヘッド案内部材１４，１４は、板状部材１４ａ，１４ａを有し、該板状部材１４ａ，１４ａの長手方向の一端部（下端部）が、両背の側枠８ａ，８ｂに固設され、前記板状部材１４ａ，１４ａの長手方向の他端部（上端部）には、ピン１４ｂ，１４ｂが設けられている。該ピン１４ｂは、図３，４に示すように、板状部材１４ａの外面から左右（Ｃ−Ｄ）方向の外側に突出するように設けられている。
【００２５】
前記両背の側枠８ａ，８ｂには、スライドフレーム１５が、背の側枠８ａ，８ｂの軸方向に沿って摺動可能に備えられている。前記スライドフレーム１５は、図１，５〜７に示すように、前記背フレーム８よりも前Ａ側に位置して配置されている。前記スライドフレーム１５は、図１，３に示すように、左右に１対のスライド側枠１５ａ，１５ｂと、連結部材２０を有している。前記スライド側枠１５ａ，１５ｂを、本実施例１においては、円筒で中空状の金属製のパイプで構成した。このスライド側枠１５ａ，１５ｂは、その軸方向が、前記背の側枠８ａ，８ｂと略平行に設けられている。
【００２６】
前記両スライド側枠１５ａ，１５ｂの上部の後側間には連結棒１７が架設され、両スライド側枠１５ａ，１５ｂの下部の後側間には連結棒１８が架設されている。また、右スライド側枠１５ａの上部と下部の後Ｂ側（背フレーム８側）には、図５〜７に示すように、連結部材２０，２０が固定部材２０ａにより固設されている。また、左スライド側枠１５ｂの上部と下部の後Ｂ側（背フレーム８側）にも、図５〜７に示すように、連結部材２０，２０が固定部材２０ａにより固設されている。該右側連結部材２０，２０は、右背の側枠８ａに対して、その軸方向、すなわち、背フレーム８の上下軸方向に摺動可能に遊嵌されている。また、左側連結部材２０，２０も、左背の側枠８ｂに対し、その軸方向に摺動可能に遊嵌され、スライドフレーム１５が、前記両背の側枠８ａ，８ｂの軸方向に沿って摺動可能に備えられている。すなわち、スライドフレーム１５が、背の側枠８ａ，８ｂの軸方向に沿って移動可能となっている。
【００２７】
前記連結部材２０としては、プラスチック、金属、木材等固体状で成形可能な材質であれば任意の材質を使用でき、本実施例においては、ポリアセタール（ＰＯＭ）を使用した。
【００２８】
前記連結部材２０の後Ｂ側には、図５〜８に示すように、背バックパネル２１が固設され、スライドフレーム１５と背バックパネル２１が一体として、背の側枠８ａ，８ｂの軸方向に沿って移動可能となっている。
【００２９】
前記背バックパネル２１は、背板２１ａと、該背板２１ａの両側に設けた両側板２１ｂ，２１ｂで構成されている。該右側板２１ｂは、右スライド側枠１５ａと椅子フレーム４の右側枠４ａとの間に、左側板２１ｂは、左スライド側枠１５ｂと椅子フレーム４の左側枠４ｂとの間に設けられている。前記両側板２１ｂ，２１ｂには、その表裏を貫通する長穴２１ｃが、その長手方向が、背の側枠８ａ，８ｂの軸方向となるように形成され、前記長穴２１ｃには、前記支軸７が貫通している。
【００３０】
前記両スライド側枠１５ａ，１５ｂの上端部には、図５〜７に示すように、ヘッドフレーム２２が設けられている。該ヘッドフレーム２２は、左右に一対のヘッドカム２２ａ，２２ａを有し、これらの下部に設けた左右（Ｃ−Ｄ）方向に水平のヘッド軸２２ｂ，２２ｂを、前記スライド側枠１５ａ，１５ｂの上端部に回転可能に連結し、ヘッドフレーム２２が前後に回動可能に備えられている。該ヘッドカム２２ａは、板状に形成され、その内側には、少なくともその内面に開口する案内溝２３が形成されている。該案内溝２３は、ヘッドカム２２ａの外側面まで貫通する貫通穴で形成してもよいし、ヘッドカム２２ａの外側面には開口しない有底溝で形成してもよい。前記ヘッドカム２２ａの後部には、ヘッドバックパネル２５が設けられている。
【００３１】
前記案内溝２３は、本実施例１においては、図５〜７に示すように、ヘッドカム２２ａの下部から上方に向うほど後Ｂ側に傾斜する第１案内溝２３ａと、該第１案内溝２３ａの上部に円弧状に形成された円弧溝２３ｂと、該円弧溝２３ｂの上部にヘッドカム２２ａの下方から上方に向うほど前Ａ側に傾斜する第２案内溝２３ｃとが連続する「く」字状に形成されている。
【００３２】
前記案内溝２３内には、前記背フレーム８のピン１４ｂが、案内溝２３に沿って移動可能に遊嵌している。
【００３３】
前記両スライド側枠１５ａ，１５ｂの下端部には、図１，５〜７に示すように、リンク２７の一端部（下端部）が、左右（Ｃ−Ｄ）方向に水平に設けた回転軸２７ａにより、これを中心として、前後に回転可能に連結されている。前記リンク２７の他端部（上端部）は、椅子フレーム４の両側枠４ａ，４ｂの上部後Ｂ側の内面に、左右（Ｃ−Ｄ）方向に水平に設けた回転軸２７ｂにより、これを中心として、前後に回転可能に連結されている。リンク２７は、その他端側回転軸２７ｂが、図５，９に示すように、背フレーム８が起立した状態において、一端側回転軸２７ａよりも前方Ａの上部に位置するように設けられている。
【００３４】
前記リンク２７は、板状に形成され、その側面形状は弧状に形成されるとともに、その弧の中心側が前側Ａに位置するように設けられている。なお、前記リンク２７の側面形状は、前記のような弧状以外にも、直線状等任意の形状とすることができる。
【００３５】
前記両スライド側枠１５ａ，１５ｂの間、及び、両ヘッドカム２２ａ，２２ａの間には、第１布バネ（図示せず）が設けられ、その両側が、付勢手段（図示せず）を介してスライド側枠１５ａ，１５ｂとヘッドカム２２ａ，２２ａに取り付けられている。該第１布バネの上端が、前記ヘッドカム２２ａ，２２ａの上端部間に設けられた連結棒（図示せず）に固定され、第１布バネの下端が、スライドフレーム１５の下連結棒１８に固定されている。前記第１布バネの両側は、前記付勢手段によりスライド側枠１５ａ（１５ｂ）方向に付勢されている。該付勢手段として、本実施例においては、バネを使用した。
【００３６】
前記スライド側枠１５ａ，１５ｂ間に設けた第１布バネの前面には、背ウレタン材２８ａが接着剤等により固設され、ヘッドカム２２ａ，２２ａ間に設けた第１布バネの前面には、ヘッドウレタン材３０ａが接着剤等により固設されている。
【００３７】
第１表皮材（図示せず）は、前記スライドフレーム１５と、背フレーム８と、第１布バネと、背ウレタン材２８ａと、ヘッドウレタン材３０ａと、背バックパネル２１と、ヘッドバックパネル２５の外周部全体を覆うようにして設けられている。該第１表皮材は、スライドフレーム１５、背フレーム８、第１布バネ、背ウレタン材２８ａ、ヘッドウレタン材３０ａ、背バックパネル２１、ヘッドバックパネル２５の何れかに固定しても良いし、何れにも固定しなくてもよい。
【００３８】
前記スライド側枠１５ａ，１５ｂ間に設けた第１布バネと、背ウレタン材２８ａとで、背クッション材２８ｂが構成されているが、該背クッション材２８ｂとしては、布バネやウレタン材以外にも任意のクッション材を使用することができる。また、スライドフレーム１５と、背フレーム８と、背クッション材２８ｂと、背バックパネル２１と、第１表皮材により、背もたれ２８が構成されている。
【００３９】
前記ヘッドカム２２ａ，２２ａ間に設けた第１布バネと、ヘッドウレタン材３０ａとで、ヘッドクッション材３０ｂが構成さているが、該ヘッドクッション材３０ｂとしては、布バネやウレタン材以外にも任意のクッション材を使用することができる。また、ヘッドフレーム２２と、ヘッドクッション材３０ｂと、ヘッドバックパネル２５と、第１表皮材により、ヘッドレスト３０が構成されている。
【００４０】
また、座フレーム１０には、第２布バネ（図示せず）が設けられ、その両側が、それぞれ座の側枠１０ａ，１０ｂに固定され、第２布バネの前端が座前枠１０ｃに固定されている。また、第２布バネの後端部は、座後枠１０ｄに付勢手段（図示せず）を介して固定されており、前記第２布バネの後端部は、前記付勢手段により座フレーム１０の後側方向に付勢されている。この付勢手段として、本実施例においてはバネを使用した。
【００４１】
前記第２布バネの上部には、座ウレタン材２９ａが接着剤等により固設されている。第２布バネと、座ウレタン材２９ａとで、座クッション材２９ｂが構成されているが、座クッション材２９ｂとしては、布バネやウレタン以外にも任意のクッション材を使用することができる。
【００４２】
第２表皮材（図示せず）は、前記座フレーム１０と、座クッション材２９ｂの外周部全体を覆うようにして設けられている。該第２表皮材は、座フレーム１０、第２布バネ、座ウレタン２９ａの何れかに固定しても良いし、何れにも固定しなくてもよい。前記座フレーム１０と、座クッション材２９ｂと、第２表皮材により、座２９が構成されている。
【００４３】
次に、椅子１の動きについて説明する。
図５，９に示すように、椅子１の背フレーム８（背もたれ２８）が起立した状態において、背クッション材２８ｂの下端と座クッション材２９ｂと後部上面との間は離間し、隙間が形成されている。この椅子１の背フレーム８が起立した状態から、背フレーム８を、支軸７を中心として徐々に後方Ｂに倒していくと、図６，１０に示すように、リンク２７は、椅子フレーム４側の回転軸２７ｂを中心として、そのスライドフレーム１５側が前方に回動するとともに、回転軸２７ａに連結されたスライドフレーム１５が、背の側枠８ａ，８ｂに沿って、下側方向（座２９方向）に移動する。
【００４４】
なお、図９〜１１において、図が煩雑となるため、背クッション材２８ｂ、座ウレタン２９ａ、ヘッドクッション材３０ｂにはハッチングが入れていない。また、背もたれ２８の倒れにおける、背クッション材２８ｂ、座ウレタン２９ａと着座者４０との相対関係を示すために、図９〜１１において、ヘッドフレーム２２は、前後方向に起倒することなく、図９の起立した状態に固定して図示してある。
【００４５】
前記のように、スライドフレーム１５が移動するとともに、背クッション材２８ｂと第１表皮材も、座２９の座クッション材２９ｂ方向に徐々に移動し、背クッション材２８ｂと座クッション材２９ｂとの間の隙間が徐々に狭くなる。
【００４６】
また、座フレーム１０は、背フレーム８が徐々に倒れるに従い、背フレーム８の下端部により前方へ押されて、座案内部材１１に沿って徐々に前部上方に移動する。
【００４７】
また、ヘッドフレーム２２は、スライドフレーム１５の上端に回動可能に連結されているので、図６に示すように、ヘッドフレーム２２が、スライドフレーム１５と共に、下側（座２９方向）に移動する。この時、ヘッド案内部材１４が、ヘッドカム２２ａ（案内溝２３）に対して相対的に上方（座２９と反対側方向）に移動する。すなわち、ピン１４ｂが、下部から上部に向うほど後方Ｂに傾斜する第１案内溝２３ａ内を上方に向かって徐々に移動する。これにより、背の側枠８ａ，８ｂの軸（背フレーム８の上下方向の軸）と、ヘッドフレーム２２（ヘッドカム２２ａ）の前面との角度αが徐々に大きくなり、ヘッドレスト３０（ヘッドフレーム２２）が、背もたれ２８（背フレーム８）に対して、徐々に起上がる。
【００４８】
そして、ピン１４ｂが、円弧溝２３ｂの中央に位置した時に、ヘッドフレーム２２（ヘッドカム２２ａ）の前面の、背フレーム８の上下方向の軸（背の側枠８ａ，８ｂの軸）に対する角度αが、最大（所定値）となる。
【００４９】
図７に示すように、更に、背フレーム８を徐々に倒していくと、リンク２７の回動により、スライドフレーム１５が更に下側（座２９）方向に移動するとともに、ピン１４ｂが、ヘッドカム２２ａにおける下部から上部に向うほど前方Ａに傾斜する第２案内溝２３ｃ内を上方に向かって徐々に移動する。これにより、背の側枠８ａ，８ｂの軸と、ヘッドカム２２ａの前面との角度αが徐々に小さくなり、ヘッドフレーム２２（ヘッドレスト３０）が、背フレーム８（背もたれ２８）に対して、徐々に後方へ倒れ、図７に示すように、背フレーム８を最大に倒した時に、背の側枠８ａ，８ｂの軸と、ヘッドカム２２ａの前面との角度αは略零となる。
【００５０】
また、上記の動きとは逆に、図７に示すように、椅子１の背もたれ２８（背フレーム８）を倒した状態から、背フレーム８を徐々に起していくと、リンク２７の前記とは逆方向の回動により、スライドフレーム１５が、背の側枠８ａ，８ｂに沿って、上側方向（座２９と反対側方向）に移動する。これに伴い、ヘッドフレーム２２が、背フレーム８を起こすほど、背フレーム８に対して徐々に起上がり、ヘッドフレーム２２の前面の、背フレーム８の上下方向の軸に対する角度αが、所定値となった後に、更に、背フレーム８を起こすと、背フレーム８が起上がるほど、ヘッドフレーム２２が、背フレーム８に対して徐々に後方へ倒れ、図５に示す状態となる。
【００５１】
すなわち、背フレーム８が、図５に示すように起立した状態から、ヘッドフレーム２２の前面の、背フレーム８の上下方向の軸に対する角度αが最大値となるまでは、背フレーム８を倒すほど、ヘッドフレーム２２が背フレーム８に対して起上がり、背フレーム８を起すほど、ヘッドフレーム２２が背フレーム８に対して倒れる。
【００５２】
また、背フレーム８が、前記角度αが最大値となる状態から、図７に示す背フレーム８が倒伏した状態となるまでは、背フレーム８を倒すほど、ヘッドフレーム２２が背フレーム８に対して倒れ、背フレーム８を起すほど、ヘッドフレーム２２が背フレーム８に対して起き上がる。
【００５３】
以上の構成により、本発明の実施例１における椅子１は、次のような作用、効果を発揮する。
【００５４】
本発明は、背フレーム８（背もたれ２８）を倒すほど、スライドフレーム１５とスライドフレームに設けた背クッション材２８ｂと第１表皮材とが、共に座２９方向に移動し、背フレーム８（背もたれ２８）を起すほど、スライドフレーム１５と背クッション材２８ｂと第１表皮材とが、共に座２９と反対側方向に移動するようにした。これにより、図９に示す背もたれ２８の起立状態と、図１１に示す背もたれ２８の倒伏状態との背もたれ２８の起倒動作において、図９〜１１に示すように、背クッション材２８ｂと座クッション材２９ｂとの間隔（隙間）が変化する。また、背もたれ２８を後方に倒すほど、座２９が前方に移動する。
【００５５】
これにより、着座者４０が、背もたれ２８を起した状態の椅子１に着座し、背もたれ２８にもたれた状態で、背もたれ２８を倒したり、起したりしても、図１１に示すように、従来技術における図２０と比較して、着座者４０の移動量が大きく減少していることがわかる。この図１１は、着座者４０の大腿部と骨盤の接合部が、図９の着座者４０の着座位置から、座２９に対して移動しないように着座した状態を示し、図９に示す背もたれ２８を起立した状態における着座者４０の頭の位置を点線で示す。この図１１からも明らかなように、着座者４０の背と背もたれ２８との位置関係が図９から大きくずれず、背もたれ２８により着衣が上方に引き上げられたりして移動することを抑制することができ、背もたれ２８を起倒した場合にも、着衣を直したり、座り直したりすることが少なくなり、快適に椅子１を使用することができる。
【００５６】
また、背もたれ２８の起倒の際に、着座者４０と背もたれ２８の表皮とがこすれたりすることを低減でき、背もたれ２８の表皮の痛みを従来技術の椅子１１０と比較して少なくすることができる。
【００５７】
また、背フレーム８を起立した状態から徐々に倒して、ヘッドフレーム２２の前面の、背フレーム８の上下方向の軸に対する角度αが所定値となるまでは、背フレーム８（背もたれ２８）を徐々に倒すほど、ヘッドフレーム２２（ヘッドレスト３０）が、背フレーム８（背もたれ２８）に対して、徐々に起上がるようにしたことにより、着座者４０が、椅子１の背もたれ２８を少し倒して、前方のテレビ等を視る場合には、図５，９に示した状態よりも、ヘッドレスト３０が背もたれ２８に対して起上がっていることで、着座者４０の視線を前方に保持し易くなる。
【００５８】
また、ヘッドフレーム２２の前面の、背フレーム８の上下方向の軸に対する角度αが所定値となった後は、背フレーム８（背もたれ２８）を倒すほど、ヘッドフレーム２２（ヘッドレスト３０）が、背フレーム８（背もたれ２８）に対して、徐々に倒れるようにしたことにより、着座者４０が、椅子１の背もたれ２８を大きく倒して寝姿勢等をとる場合には、着座者４０の首が疲れることなく、楽な姿勢をとることができる。
【実施例２】
【００５９】
図１２乃至図１４は、実施例２を示す。
前記実施例１においては、スライド側枠１５ａ，１５ｂの下端部と、椅子フレーム４の両側枠４ａ，４ｂとを１本のリンク２７で連結したが、本実施例２においては、スライド側枠１５ａ，１５ｂの軸方向中間部と、椅子フレーム４の両側枠４ａ，４ｂとを複数からなるリンク３１で連結し、背もたれ２８（背フレーム８）を後方へ倒すほど、スライドフレーム１５が下側（座２９側）方向に移動して背クッション材２８ｂと座クッション材２９ｂとの隙間が狭くなるようにしたものである。また、背もたれ２８（背フレーム８）を起すほど、スライドフレーム１５が上側（座２９と反対側）方向に移動して、背クッション材２８ｂと座クッション材２９ｂとの隙間が大きくなるようにしたものである。
【００６０】
前記リンク３１は、図１２〜１４に示すように、第１リンク３２と第２リンク３３と第３リンク３４の３つのリンクで構成されている。
【００６１】
前記第１リンク３２の一端（上端）は、スライド側枠１５ａ，１５ｂの軸方向の中間部に、左右（Ｃ−Ｄ）方向に水平に設けた回転軸３２ａを中心として、前後に回転可能に連結され、第１リンク３２の他端（下端）は、第２リンク３３の一端（上端）に、左右（Ｃ−Ｄ）方向に水平に設けた回転軸３２ｂを中心として、前後に回転可能に連結されている。該第２リンク３３の軸方向の中間部他端側寄り部は、背の側枠８ａ，８ｂに左右（Ｃ−Ｄ）方向に水平に設けた連結軸３３ａを中心として、前後に回転可能に連結されている。該連結軸３３ａは、支軸７の後部近傍に位置するように設けられている。
【００６２】
前記第２リンク３３の他端（下端）は、第３リンク３４の一端（後端）に、左右（Ｃ−Ｄ）方向に水平に設けた回転軸３３ｂを中心として、前後に回転可能に連結されている。該第３リンク３４の他端（前端）は、椅子フレーム４の両側枠４ａ，４ｂの後部上方に、左右（Ｃ−Ｄ）方向に水平に設けた回転軸３４aを中心として、前後に回転可能に連結されている。
【００６３】
その他の構造、構成は、前記実施例１と同様であるので、その説明を省略する。
次に、第２実施例の椅子１の動きについて説明する。
【００６４】
図１２に示すように、椅子１の背フレーム８を起立した状態から、背フレーム８を徐々に後方へ倒していくと、第２リンク３３の下端側が、図１３，１４に示すように、支軸７近傍の連結軸３３ａを中心として上部後方向に回動する。また、この第２リンク３３の回動により、第１リンク３２の他端回転軸３２ｂが下方向へ移動する。これにより、図１２〜１４に示すように、該第１リンク３２の一端側回転軸３２ａに連結されたスライド側枠１５ａ，１５ｂが、背の側枠８ａ，８ｂに沿って下側（座２９）方向へ移動して、背クッション材２８ｂと座クッション材２９ｂとの隙間が狭くなる。
【００６５】
また、上記と反対に図１４に示すように、椅子１の背フレームが倒伏した状態から、背フレーム８を起上がらせると、前記と逆の動作により、スライドフレーム１５が、背の側枠８ａ，８ｂに沿って、座２９と反対側方向に移動して、背クッション材２８ｂと座クッション材２９ｂとの隙間が大きくなるようにしたものである。
【００６６】
その他の動きは、前記実施例１と同様であるので、その説明を省略する。
本実施例２においても、前記実施例１と同様の作用、効果を発揮することができる。
【実施例３】
【００６７】
図１５乃至図１７は、実施例３を示す。
前記実施例１においては、スライド側枠１５ａ，１５ｂの下端部と、椅子フレーム４の両側枠４ａ，４ｂとをリンク２７で連結したが、本実施例３においては、スライド側枠１５ａ，１５ｂの軸方向中間部と、座フレーム１０の座の側枠１０ａ，１０ｂとをリンク４１で連結し、背もたれ２８（背フレーム８）を倒すほど、スライドフレーム１５が座２９側方向に移動して、背クッション材２８ｂと座クッション材２９ｂとの隙間が大きくなるようにし。また、背もたれ２８（背フレーム８）を起すほど、スライドフレーム１５が座２９と反対側方向に移動して、背クッション材２８ｂと座クッション材２９ｂとの隙間が大きくなるようにしたものである。
【００６８】
前記リンク４１は、図１５〜１７に示すように１本のリンクで形成されている。また、該リンク４１は、板状に形成され、その側面形状は弧状に形成されるとともに、その弧の中心側が前側Ａに位置するように設けられている。該リンク４１の一端（上端）は、スライド側枠１５ａ，１５ｂの軸方向の中間部に、左右（Ｃ−Ｄ）方向に水平に設けた回転軸４１ａを中心として、前後に回転可能に連結され、リンク４１の他端（下端）は、座の側枠１０ａ，１０ｂの中間部に、左右（Ｃ−Ｄ）方向に水平に設けた回転軸４１ｂを中心として、前後に回転可能に連結されている。なお、前記リンク４１の側面形状は、前記のような弧状以外にも、直線状等任意の形状とすることができる。
【００６９】
その他の構造、構成は、前記実施例１と同様であるので、その説明を省略する。
次に、本実施例３の椅子１の動きについて説明する。
【００７０】
図１５に示すように、椅子１の背フレーム８を起立した状態から、図１６，１７に示すように、背フレーム８を徐々に後方へ倒していくと、座フレーム１０が、座案内部材１１に沿って徐々に前部上方に移動する。これに伴い、座フレーム１０と連結した他端側回転軸４１ｂが前方上部に移動し、リンク４１は、その両回転軸４１ａ，４１ｂを中心として回動しつつ、この回転軸４１ａが下側（座２９）方向に移動する。それとともに、リンク４１の回転軸４１ａに連結されたスライドフレーム１５が、背の側枠８ａ，８ｂに沿って、座２９方向に移動する。
【００７１】
また、上記と反対に、図１７に示すように、背フレーム８を倒伏した状態から、背フレーム８を徐々に起こすと、スライドフレーム１５を、背の側枠８ａ，８ｂに沿って、座２９と反対側方向に移動する。
【００７２】
その他の動きは、前記実施例１と同様であるので、その説明を省略する。
本実施例３においても、前記実施例１，２と同様の作用、効果を発揮することができる。
【実施例４】
【００７３】
前記実施例１乃至３においては、背フレーム８を、支軸７を中心にして回動させ、リンク２７，３１，４１により、スライドフレーム１５を、背フレーム８の起倒に応じて背の側枠８ａ，８ｂの軸方向に移動するようにしたが、前記支軸７をスライド側枠１５ａ，１５ｂに設け、リンクにより、背フレーム８を、スライドフレーム１５が後方へ倒れるほど上方（座２９と反対側方向）に移動するようにしたものである。
【００７４】
椅子フレーム４に固定された支軸７を、スライドフレーム１５の中間部に連結し、該支軸７を中心として、スライドフレーム１５を前後に回転可能に設ける。また、スライドフレーム１５と背フレーム８とは、前記実施例１乃至３と同様に、連結部材２０を介して連結されるとともに、背フレーム８は、スライド側枠１５ａ，１５ｂの軸方向に沿って摺動可能に備える。
【００７５】
そして、スライドフレーム１５が、支軸７を中心として後方へ倒れるほど、リンクにより背フレーム８が、スライド側枠１５ａの軸方向に沿って上方（座２９と反対側方向）に移動し、それとともに座フレーム１０も、スライドフレーム１５の下端に対して後方に移動し、座フレーム１０の後端とスライドフレームの下端とが徐々に近づき、背クッション材２８ｂと座クッション材２９ｂとの隙間が小さくなるようになっている。
【００７６】
また、スライドフレーム１５が支軸を中心として前方へ起き上がるほど、リンクにより背フレーム８は、スライド側枠１５ａの軸方向に沿って下方（座２９方向）に移動し、それとともに座フレーム１０もスライドフレーム１５の下端に対して前方に移動し、座フレーム１０の後端とスライドフレーム１５の下端とが徐々に遠ざかるようになっている。
すなわち、背フレーム８が倒れるほど、スライドフレーム１５は、背フレーム８に対して座２９方向に移動する。また、背フレーム８が起上がるほど、スライドフレーム１５は、背フレーム８に対して座２９と反対側方向に移動し、背クッション材２８ｂと座クッション材２９ｂとの隙間が大きくなるようになっている。
【００７７】
その他の構造、構成は、前記実施例１乃至３と同様であるので、その説明を省略する。
本実施例４においても、前記実施例１乃至３と同様の作用、効果を発揮することができる。
【実施例５】
【００７８】
前記実施例１乃至４においては、スライドフレーム１５を、背フレーム８よりも前方Ａに位置して設けたが、スライドフレーム１５を、背フレーム８よりも後方Ｂに位置して設けてもよい。
【００７９】
その他の構造、構成は、前記実施例１乃至４と同様であるので、その説明を省略する。
本実施例５においても、前記実施例１乃至４と同様の作用、効果を発揮することができる。
【符号の説明】
【００８０】
１  椅子
４  椅子フレーム
７  支軸
８  背フレーム
８ａ，８ｂ  背の側枠
１０  座フレーム
１５  スライドフレーム
２７，３１，４１  リンク 
２８ｂ  背クッション材
２９ｂ  座クッション材
【図１】
0005634890.tif 000002
【図２】
0005634890.tif 000003
【図３】
0005634890.tif 000004
【図４】
0005634890.tif 000005
【図５】
0005634890.tif 000006
【図６】
0005634890.tif 000007
【図７】
0005634890.tif 000008
【図８】
0005634890.tif 000009
【図９】
0005634890.tif 000010
【図１０】
0005634890.tif 000011
【図１１】
0005634890.tif 000012
【図１２】
0005634890.tif 000013
【図１３】
0005634890.tif 000014
【図１４】
0005634890.tif 000015
【図１５】
0005634890.tif 000016
【図１６】
0005634890.tif 000017
【図１７】
0005634890.tif 000018
【図１８】
0005634890.tif 000019
【図１９】
0005634890.tif 000020
【図２０】
0005634890.tif 000021